(57)【要約】【課題】  スプーン連結装置の提供。【解決手段】  本考案のスプーン連結装置はスプーンに嵌合される嵌合手段を具え、該嵌合手段に少なくとも一つの磁石が結合され、スプーンを磁石により物品に吸着させ、快速使用に供するスプーン連結装置である。【選択図】        図２
0003107211.tif 000002
【実用新案登録請求の範囲】
【請求項１】
スプーンに嵌合される嵌合手段を具え、該嵌合手段にスプーンとの嵌合用の孔が設けられ、該嵌合手段に少なくとも一つの磁石が結合され、スプーンを該磁石により金属製品に吸着させ、スプーンを快速に使用できるようにすることを特徴とする、スプーン連結装置。
【請求項２】
請求項１記載のスプーン連結装置において、嵌合手段が収縮可能な弾性を具えたことを特徴とする、スプーン連結装置。
【請求項３】
請求項１記載のスプーン連結装置において、嵌合手段が磁石の挿入結合に供される少なくとも一つの嵌め溝を具えたことを特徴とする、スプーン連結装置。
【請求項４】
請求項１記載のスプーン連結装置において、磁石が嵌合手段内に被覆されたことを特徴とする、スプーン連結装置。
【請求項５】
請求項１記載のスプーン連結装置において、嵌合手段に環状配列された複数の磁石が結合されたことを特徴とする、スプーン連結装置。
【請求項６】
請求項１記載のスプーン連結装置において、磁石が嵌合手段に結合された環状体とされて、該嵌合手段が環状吸着面を具備することを特徴とする、スプーン連結装置。
【請求項７】
請求項１記載のスプーン連結装置において、嵌合手段のスプーンとの嵌合固定用の孔が封閉端を具えたことを特徴とする、スプーン連結装置。
【請求項８】
請求項１記載のスプーン連結装置において、嵌合手段が平面の吸着面を具えたことを特徴とする、スプーン連結装置。
【請求項９】
請求項１記載のスプーン連結装置において、嵌合手段が円弧面の吸着面を具えたことを特徴とする、スプーン連結装置。
【考案の詳細な説明】
【技術分野】
【０００１】
本考案は一種の連結装置に係り、特にスプーン或いはそれに類似の器具に適用され、鉄材料で形成されたミルク缶或いはその他の金属製品にスプーンを急速連結させる機能を有するスプーン連結装置に関する。
【背景技術】
【０００２】
缶入りのミルクに付属のミルクスプーンは、使用に不便である問題を有している。それは関係業者がスプーンの出し入れの便利性に対して有効な解決手段を提供していないことによる。
【０００３】
特許文献１はこの問題に対してミルクスプーンをミルク缶のシール蓋に挟持固定する構造を提供している。その技術手段は、シール蓋とミルクスプーンに相互に接続可能な係合構造を設けて、これによりミルクスプーンを非使用状態時にシール蓋の内面に係合可能とする、というもので、これによりミルクスプーンの使用に便利としている。
【０００４】
しかし、特許文献１に記載の方法は理想的でない。その原因は、シール蓋とミルクスプーンの構造上の改変がミルク業者が組み合わせたい条件下でなければ実現できないためである。このほか、使用面からみると、ミルクスプーンとシール蓋は所定の特定方向によらねば係合挟持の目的を達成できず、これは理想的な設計ではない。
【０００５】
【特許文献１】台湾特許公告第３３５８０８号明細書
【考案の開示】
【考案が解決しようとする課題】
【０００６】
以上の周知の技術の問題点に基づき、本考案はスプーンを速やかに且つ簡単にミルク缶と連結或いは分離させられ、並びにスプーン自身の構造を改変する必要がないスプーン連結装置を提供することを主要な目的としている。
【０００７】
該スプーン連結装置はスプーンに嵌合される嵌合手段を具え、この嵌合手段に磁石が設けられ、スプーンに嵌合手段の結合後に、磁石により金属製品に吸着する機能を具備させることができ、スプーンに鉄を含む材料で製造された缶或いはその他の金属製品に急速に連結させる機能を具備させる。
【課題を解決するための手段】
【０００８】
請求項１の考案は、スプーンに嵌合される嵌合手段を具え、該嵌合手段にスプーンとの嵌合用の孔が設けられ、該嵌合手段に少なくとも一つの磁石が結合され、スプーンを該磁石により金属製品に吸着させ、スプーンを快速に使用できるようにすることを特徴とする、スプーン連結装置としている。
請求項２の考案は、請求項１記載のスプーン連結装置において、嵌合手段が収縮可能な弾性を具えたことを特徴とする、スプーン連結装置としている。
請求項３の考案は、請求項１記載のスプーン連結装置において、嵌合手段が磁石の挿入結合に供される少なくとも一つの嵌め溝を具えたことを特徴とする、スプーン連結装置としている。
請求項４の考案は、請求項１記載のスプーン連結装置において、磁石が嵌合手段内に被覆されたことを特徴とする、スプーン連結装置としている。
請求項５の考案は、請求項１記載のスプーン連結装置において、嵌合手段に環状配列された複数の磁石が結合されたことを特徴とする、スプーン連結装置としている。
請求項６の考案は、請求項１記載のスプーン連結装置において、磁石が嵌合手段に結合された環状体とされて、該嵌合手段が環状吸着面を具備することを特徴とする、スプーン連結装置としている。
請求項７の考案は、請求項１記載のスプーン連結装置において、嵌合手段のスプーンとの嵌合固定用の孔が封閉端を具えたことを特徴とする、スプーン連結装置としている。
請求項８の考案は、請求項１記載のスプーン連結装置において、嵌合手段が平面の吸着面を具えたことを特徴とする、スプーン連結装置としている。
請求項９の考案は、請求項１記載のスプーン連結装置において、嵌合手段が円弧面の吸着面を具えたことを特徴とする、スプーン連結装置としている。
【考案の効果】
【０００９】
本考案はスプーンを速やかに且つ簡単にミルク缶等金属製品と連結或いは分離させられ、並びにスプーン自身の構造を改変する必要がないスプーン連結装置を提供している。
【考案を実施するための最良の形態】
【００１０】
図１は本考案の連結装置を示し、それはスプーン２０に嵌合される嵌合手段１０を具え、該嵌合手段１０にスプーン２０の杓部２２或いは柄部２４に嵌合される少なくとも一つの孔１２が設けられてスプーン２０と一体に結合される。該嵌合手段１０の外側或いは内側に少なくとも一つの磁石１４が結合され、スプーン２０が、図２、３に示されるように、磁石１４により鉄を含む材料で製造されたミルク缶或いはその他の金属製の被吸着物品３０に吸着可能とされ、これにより被吸着物品３０と急速連結或いは分離の結合関係を有するものとされる。このほか、異なる被吸着物品３０に合わせ、嵌合手段１０の磁石１４外端に位置する吸着面１４２は実際の応用により平面とされるか、或いは図４のように円弧吸着面１４４とされうる。
【００１１】
図に示される嵌合手段１０に設けられた孔１２は貫通孔とされ、嵌合手段１０がスプーン２０の深いところに嵌合可能とされる。或いは、嵌合手段１０の孔１２は一端が開口でもう一端が閉じた孔とさ、嵌合手段１０が杓部２２或いは柄部２４の端部に嵌合される。
【００１２】
このほか、嵌合手段１０の孔１２はスプーン２０の嵌合部分と緊密な組合せ関係を有するか、或いは嵌合手段１０自身が収縮可能な弾性を具備するものとされ、嵌合手段１０が適宜拡張或いは収縮してその孔１２の口径が大きさ或いは形状の調節変化が可能な機能を具備するものとされる。
【００１３】
以上から分かるように、本考案の嵌合手段１０はスプーン２０と相互に結合可能で、並びに嵌合手段１０の磁石１４により随意に被吸着物品３０の任意の位置に吸着可能で、もしミルク缶が被吸着物品３０とされるとき、スプーン２０は嵌合手段１０によりミルク缶内壁面或いは外表面に連結される。
【００１４】
図１から分かるように、嵌合手段１０はその外側部分に少なくとも一つの嵌め溝１６を具えて磁石１４がそのなかに嵌め込まれる。実施時には、磁石１４は図５に示されるように直接嵌合手段１０内に成形、被覆されうる。磁石の配置方式は一つ或いは複数がそれぞれ嵌合手段１０に結合されるか、図６のように、磁石１４が環状配列方式で嵌合手段１０外側或いは外側に接近する部分に結合される。
【００１５】
総合すると、本考案に記載の連結装置はスプーン２０を急速且つ簡単に被吸着物品３０に連結或いは分離させることができるほか、スプーン２０自身の構造を改変する必要がない。以上は本考案の範囲を限定するものではなく、本考案に基づきなしうる細部の修飾或いは改変は、いずれも本考案の請求範囲に属するものとする。
【図面の簡単な説明】
【００１６】
【図１】本考案の連結装置の構造表示図である。
【図２】本考案の連結装置がスプーンに結合された使用状態表示図である。
【図３】本考案の連結装置がスプーンに結合された使用状態表示図である。
【図４】本考案の実施例の細部変化表示図である。
【図５】本考案の別の実施例表示図である。
【図６】本考案の更に別の実施例表示図である。
【符号の説明】
【００１７】
１０  嵌合手段                      １６  嵌め溝
１２  孔                            ２０  スプーン
１４  磁石                          ２２  杓部
１４２  吸着面                      ２４  柄部
１４４  吸着面                      ３０  被吸着物品
【図１】
0003107211.tif 000003
【図２】
0003107211.tif 000004
【図３】
0003107211.tif 000005
【図４】
0003107211.tif 000006
【図５】
0003107211.tif 000007
【図６】
0003107211.tif 000008